(57)【要約】  本発明は、タービン発電機の軸の制御に関する。この場合、タービン発電機は静止形励磁システムを備えており、軸は予め定められた速度で第１の回転方向に駆動される。本発明によれば軸の制御において、軸のねじれ振動を検出し、ねじれ振動に基づき制御信号を算出し、この制御信号を利用して、タービン発電機から静止形励磁システムにより取り出される電力量を制御する。
2016525862.tif 000002
【特許請求の範囲】
【請求項１】
静止形励磁システムを備えたタービン発電機の軸を制御する方法であって、
前記軸は、予め定められた速度で第１の回転方向に駆動され、該方法は、
前記軸のねじれ振動を検出するステップと、
前記ねじれ振動に基づき制御信号を算出するステップと、
前記制御信号を利用して、前記静止形励磁システムにより前記タービン発電機から取り出される電力量を制御するステップと
を含むことを特徴とする、
静止形励磁システムを備えたタービン発電機の軸を制御する方法。
【請求項２】
前記軸の回転速度を測定するステップを含む、
請求項１記載の方法。
【請求項３】
前記ねじれ振動は、前記測定された回転速度と前記予め定められた速度との間の差に対応する第１の振幅を含む、
請求項２記載の方法。
【請求項４】
前記第１の振幅に基づき、前記制御信号の第２の振幅を決定するステップをさらに含む、
請求項３記載の方法。
【請求項５】
前記ねじれ振動は、第１の部分と第２の部分とを含み、
前記第１の部分は、第１の期間にわたり持続し、前記第１の回転方向に対応し、
前記第２の部分は、第２の期間にわたり持続し、前記第１の回転方向とは逆の第２の回転方向に対応する、
請求項３記載の方法。
【請求項６】
前記ねじれ振動は、前記第１の期間と前記第２の期間の和の逆数に対応する周波数を有する、
請求項５記載の方法。
【請求項７】
前記第１の振幅に基づき、前記制御信号の第２の振幅を決定するステップと、
前記制御信号を、前記第２の振幅と、前記第１の期間中の第１の極性とによって、前記静止形励磁システムに適用するステップと、
前記制御信号を、前記第２の振幅と、前記第１の極性とは逆極性である前記第２の期間中の第２の極性とによって、前記静止形励磁システムに適用するステップと
を含む、請求項６記載の方法。
【請求項８】
前記制御信号によって前記静止形励磁システムは、前記第１の期間中に前記タービン発電機から取り出される電力量を増加する、
請求項７記載の方法。
【請求項９】
前記制御信号によって前記静止形励磁システムは、前記第２の期間中に前記タービン発電機から取り出される電力量を低減する、
請求項７記載の方法。
【請求項１０】
前記制御信号を、前記静止形励磁システムの自動電圧調整器に注入する、
請求項１記載の方法。
【請求項１１】
静止形励磁システムを備えたタービン発電機の軸を制御するシステムであって、
前記軸は、予め定められた速度で第１の回転方向に駆動され、前記システムは、
速度センサから速度信号を受け取り、該速度信号に基づき、前記軸のねじれ振動に対応するねじれ振動信号を検出するように構成された検波器と、
制御可能な利得を有し、前記ねじれ振動信号に基づき制御信号を発生するように構成された信号発生器と、
前記制御信号を受け取り、該制御信号に基づいて、前記静止形励磁システムにより前記タービン発電機から取り出される電力量を制御するように構成された自動電圧調整器と
を含む、
静止形励磁システムを備えたタービン発電機の軸を制御するシステム。
【請求項１２】
前記速度センサは、前記軸の回転速度を測定するように構成されている、
請求項１１記載のシステム。
【請求項１３】
前記ねじれ振動信号は、前記測定された回転速度と前記予め定められた速度との差に対応する第１の振幅を含む、
請求項１２記載のシステム。
【請求項１４】
前記制御可能な利得は、前記第１の振幅に基づき前記制御信号の第２の振幅が発生するように調整される、
請求項１３記載のシステム。
【請求項１５】
前記ねじれ振動信号は、第１の部分と第２の部分とを含み、
前記第１の部分は、第１の期間にわたり持続し、前記第１の回転方向に対応し、
前記第２の部分は、第２の期間にわたり持続し、前記第１の回転方向とは逆の第２の回転方向に対応する、
請求項１３記載のシステム。
【請求項１６】
前記ねじれ振動信号は、前記第１の期間と前記第２の期間の和の逆数に対応する周波数を有する、
請求項１５記載のシステム。
【請求項１７】
前記増幅器の利得は、前記第１の振幅に基づき前記制御信号の第２の振幅が発生するように調整され、
前記制御信号は、前記第２の振幅と、前記第１の期間中の第１の極性とによって、前記自動電圧調整器に供給され、
前記制御信号は、前記第２の振幅と、前記第１の極性とは逆極性である前記第２の期間中の第２の極性とによって、前記自動電圧調整器に供給される、
請求項１６記載のシステム。
【請求項１８】
前記制御信号によって前記静止形励磁システムは、前記第１の期間中に前記タービン発電機から取り出される電力量を増加する、
請求項１７記載のシステム。
【請求項１９】
前記制御信号によって前記静止形励磁システムは、前記第２の期間中に前記タービン発電機から取り出される電力量を低減する、
請求項１７記載のシステム。
【請求項２０】
前記制御信号を、別個に形成された他の電圧制御信号と合成するように構成された合成器が設けられている、
請求項１１記載のシステム。
【発明の詳細な説明】
【技術分野】
【０００１】
本発明は、発電施設の分野に関するものであり、さらに詳しくは、発電施設のねじれ振動に関するものである。
【背景技術】
【０００２】
タービン発電機は、機械運動を電力に変換するために回転軸を備えている。この場合、発電機と結合された変動負荷によって、軸にねじれ振動が誘発される可能性がある。変動負荷（例えば電気アーク炉など）に起因して、発電機の電力に急速な過渡状態が引き起こされる可能性があり、このような過渡状態の作用により、発電機の回転軸に様々なレベルのねじれ振動が誘発されるおそれがある。このような過渡状態が発生するタイミングによって場合によっては、本来であれば小さい振動であるのに、それらの小さい振動が強められて、かなり大きい振幅のねじれ振動が形成されてしまう可能性もある。このようなねじれ振動を減衰させるために、これまで様々なアプローチが試みられてきた。それらのアプローチにおいてこれまで行われてきたのは、発電機により給電される負荷のフィルタリングおよびレベル調整であり、それによって負荷が何らかの過渡状態にあるときの振幅を低減し、同様にそのような過渡状態の反復性も減らそうというものであった。
【発明の概要】
【課題を解決するための手段】
【０００３】
本発明の１つの観点は、静止形励磁システムを備えたタービン発電機の軸を制御するシステムに関するものであり、この場合、軸は、予め定められた速度で第１の回転方向に駆動される。このシステムは検波器を備えており、この検波器は、速度センサから速度信号を受け取り、速度信号に基づき、軸のねじれ振動に対応するねじれ振動信号を検出するように構成されている。さらにこのシステムは、制御可能な利得を有する増幅器および自動電圧調整器も備えている。この場合、増幅器は、ねじれ振動信号に基づき制御信号を発生するように構成されており、自動電圧調整器は、制御信号を受け取り、この制御信号に基づいて、静止形励磁システムによりタービン発電機から取り出される電力量を制御するように構成されている。
【０００４】
本発明の別の観点は、静止形励磁システムを備えたタービン発電機の軸を制御する方法に関するものであり、この場合、軸は、予め定められた速度で第１の回転方向に駆動される。この方法には、軸のねじれ振動を検出するステップと、ねじれ振動に基づき制御信号を算出するステップと、この制御信号を利用して、静止形励磁システムによりタービン発電機から取り出される電力量を制御するステップとが含まれている。
【０００５】
本明細書に続いて最後に特許請求の範囲が記載されており、これは本発明を明確に表すものであり、その権利範囲をはっきりと主張しているが、添付の図面を参照した以下の説明からも、本発明の理解が深まるであろう。なお、図中、同様の部材には同じ参照符号が付されている。
【図面の簡単な説明】
【０００６】
【図１Ａ】従来技術によるタービン発電機用の静止形励磁システムの一例を示す図
【図１Ｂ】本発明の基本原理に従って構成されたタービン発電機を示す図
【図１Ｃ】本発明の基本原理に従い、補助制御信号を静止形励磁システムにどのように注入できるのかを概念的に示すブロック図
【図２Ａ】本発明の基本原理による静止形励磁制御システムの信号波形の一例を示す図
【図２Ｂ】本発明の基本原理による静止形励磁制御システムの信号波形の一例を示す図
【図３】本発明の基本原理による静止形励磁システムを制御するための方法の一例を示すフローチャート
【発明を実施するための形態】
【０００７】
有利な実施形態に関する以下の詳細な説明では、それらの実施形態の一部を成す添付の図面を参照するが、図面には、限定のためではなく例示のために、本発明を実施可能な特別な有利な実施形態が示されている。なお、他の実施形態を採用してもよいし、本発明の着想および範囲を逸脱することなく、変更を加えることができるのは自明である。
【０００８】
永久磁石ではなく界磁コイルを利用する発電機においては、機器を動作可能にするために界磁コイルに電流を流しておかなければならない。界磁コイルが給電されないと、電動機の回転子であればまったく回転できないのに対し、発電機の回転子であれば回転可能であるが、その際に何ら有効な電気エネルギーも発生させない。図１Ａには、従来技術による静止形励磁システムの一例が示されている。この場合、発電機には、発電機回転界磁１０２と、定置された発電機固定子１０４とが含まれている。周知のとおり発電機は、発生させた電力を送電網１０１へ供給するために３線バス１０６によって接続されている。
【０００９】
発電機の現在の動作状況を表すことができるよう、発電機により発生された電力の電圧と電流を、サンプリングまたはセンシングすることができる。発生された電圧と電流は、慣用の自動電圧調整器（ＡＶＲ）回路１１２によってもすぐに利用することはできず、したがって電流および電圧のための変成器１０８を利用して、バス１０６からの信号を自動電圧調整器１１２によって、利用しやすい信号に低減することができる。
【００１０】
３線バス１０６には、変圧器１１０を介して静止形励磁機１１６も接続されており、これによって励磁機１１６に電力を供給することができる。図１Ａに一例として示した回路の場合、励磁機１１６には、６個のサイリスタ１１８によるサイリスタブリッジが含まれており、これは励磁機変圧器１１０および発電機界磁１０２と接続されている。自動電圧調整器１１２は、サイリスタ１１８を駆動する直流制御信号１２０を供給する。制御信号１２０の値に基づき、励磁機出力電圧１２２が発電機界磁１０２へ供給される。
【００１１】
周知のように電圧調整器１１２は、発電機の動作特性を変更して理想的な動作パラメータがいっそう厳密に再現されるように、制御信号１２０を発生させるために設計されている。当業者であれば自明であるように、図１Ａの回路は、タービン発電機のために（ここで用いられる）静止形励磁機または「静止形励磁システム」の基本原理を示すための一例にすぎず、機能的に等価の他の回路によって同じ結果を達成することができる。
【００１２】
本発明の観点は、タービン発電機における静止形励磁システムの補助制御を行う方法および装置に関するものである。この補助制御は、産業用負荷の変動に起因して回転子に誘発されるねじれ振動が安定化されるよう、励磁機出力電圧を調整するために、軸のねじれ振動またはねじれ発振、回転子の測定からのフィードバック信号を利用することができる。
【００１３】
このフィードバック信号を、タービン発電機の回転子の瞬時速度を測定する１つまたは複数の速度センサから生じさせることができる。補助制御信号を発生させるために、このフィードバック信号を検波して、ねじれ速度または変位信号を発生させ、これを適切なフィルタ、位相シフト機能および増幅により処理して送出することができる。その後、この補助制御信号を、静止形励磁システムの電圧調整器に注入して、発電機界磁の瞬時電力を制御することができる。
【００１４】
図１Ｂには、本発明の基本原理に従って構成されたタービン発電機が示されている。タービン発電機は、機械運動を電力に変換するために回転軸を備えている。この場合、発電機と結合された変動負荷１６２によって、軸にねじれ振動が誘発される可能性がある。本発明の基本原理によれば、軸が回転する速度を測定することによって、この種のねじれ振動を検出することができる。
【００１５】
図１Ｂを参照しながら説明すると、静止形励磁システム１５４は、発電機１５０から電力１５２を取り出すことができる。取り出される電力１５２の量を、電圧調整器１５６によって自動的に制御することができる。電圧調整器１５６は、変圧器（ＶＴ）１４６および変流器（ＣＴ）１４８から入力を受け取ることができ、これによって静止形励磁システム１５４のための電圧制御信号が、発電機１５０の現在の動作状況に基づき決定される。
【００１６】
上述のように、発電機１５０の回転軸の回転速度を測定するために、速度センサ１５８を利用することができる。たとえば、歯付きホイールまたは切り込み付きホイールを回転軸に結合することができ、それによって軸が回転したときにホイールも同様に回転するようになる。この場合、ホイ―ルを回転軸とじかに結合してもよいし、種々のギアまたはリンク機構を介してホイールを回転軸と間接的に結合してもよい。ホイールの歯またはノッチの通過を検出する１つまたは複数の速度センサを、ホイールに付加することができる。このような検出をたとえば、ノッチまたは歯とホイールの他の部分との視覚的な相違を認識する光学センサを利用して実現することができる。当業者であれば自明であるように、本発明の範囲を逸脱することなく、軸の回転速度を測定するために数多くの択一的な技術を利用することができる。
【００１７】
センサ１５８が発生する速度センサ信号を、ねじれ検波器１６０によって検波し、ねじれ速度信号１６１を抽出することができる。軸は既知の方向に既知の速度（たとえば３６００ＲＰＭまたは１８００ＲＰＭ）で駆動されるので、ねじれ振動が発生していなければ、検出されたノッチまたは歯によって、既知の理想的な速度値が発生することになる。ところが、ねじれ振動が発生し、それが駆動方向とは逆方向であると、測定された軸速度は予期された理想値よりも小さくなる。同様に、ねじれ振動が駆動方向と同じ方向であれば、測定された軸速度は予期された理想値よりも大きくなる。したがって、速度センサ１５８により測定された速度信号に基づき、ねじれ速度信号１６１を算出することができ、これによって軸速度が予期された速度値からどの程度逸脱しているのかが表され、振動の周波数も表される。ついで、このねじれ速度信号１６１を利用して、発電機１５０の静止形励磁システム１５４のための補助制御信号１６５を発生させることができる。詳しくは、ねじれ振動を打ち消すことによりシステムの動作を安定化させるために、静止形励磁システム１５４を制御することができる。
【００１８】
図１Ｂに示されているように、望ましい周波数帯域だけを通過させるために、ねじれ速度信号１６１を、バンドパスフィルタ１６４を通過させて送出することができる。たとえば、２極の６０Ｈｚ発電機の場合、分数調波信号（たとえば５Ｈｚ〜２０Ｈｚ）を適切な周波数範囲とすることができる。４極の発電システムの場合、上述の同じ周波数でもよいし、または別の分数調波信号の周波数を対象としてもよい。望ましくないノイズおよびその他の非ねじれ成分を、バンドパスフィルタ１６４によってフィルタリングもしくは阻止することができる。フィルタリングされた信号１６３を、その後、位相補償回路網および増幅器１６６を通過させ、補助制御信号１６５を発生させることができる。増幅器１６６の利得は、所定の振幅の速度変化（すなわちねじれ速度信号１６１）から適切な振幅の制御信号１６５が発生して、静止形励磁システム１５４に望ましい作用がもたらされるように、設計されている。位相補償回路網１６６は、出力される制御信号１６５の位相が入力されたフィルタリング信号１６３の位相とマッチするように、設計されている。当業者であれば自明であるように、本発明の範囲を逸脱することなく上述の成果を達成するために、種々の様々な増幅器および補償回路、ソフトウェア、またはディジタル信号プロセッサを実装することができる。
【００１９】
その後、静止形励磁機の出力電圧制御にすでに用いられている通常の制御信号に、補助制御信号１６５を加えることによって、結果として得られた補助制御信号１６５を静止形励磁システム１５４に導入することができる。
【００２０】
図１Ｃには、本発明の基本原理に従い、補助制御信号を静止形励磁システムにどのようにして注入できるのかを概念的に示すブロック図が示されている。図１Ｂに示した破線のブロック１６８内の複数の要素は、図１Ｃでは単一のブロック要素１６８としてまとめられている。ブロック１６８は補助制御信号１６５を発生し、この信号を加算器１８４によって、電圧調整器１５６からの制御信号１８１と合成することができる。このようにして合成された制御信号１８６を利用して、発電機界磁１９０に印加される界磁電圧１８８を発生させるために、静止形励磁システム１５４の挙動を制御することができる。
【００２１】
当業者であれば自明であるように、信号１６５と１８１を合成するために、本発明の範囲を逸脱することなく、数多くの様々な手法が考えられる。具体的には、制御信号が発電機の電圧制御に不利な作用を及ぼさないように、または発電機端子電圧または無効電力にバイアスがかからないように、制御信号を標準的な発電機電圧制御ループ内に注入することができる。
【００２２】
動作中、静止形励磁システム１５４によって出力される界磁電圧の増加および減少は、発電機から取り出される静止形励磁システムの電力量の増減に比例する。定常状態において静止形励磁システムは、予め求められた動作電圧を発生し、発電機から予め定められた電力量を取り出す。したがって、静止形励磁システムにより供給された電圧が、その定常状態の動作電圧から増加または低減すると、発電機から取り出される電力がそれぞれ増加または低減する作用が及ぼされることになる。静止形励磁システムにより発電機から取り出される電力が増加すると、回転中の発電機の軸に対し、軸駆動方向での軸の回転に抵抗するドラッグ作用がはたらく。静止形励磁システムによって取り出される電力が減少すると、ドラッグ作用が小さくなり、その結果、軸駆動方向において軸回転速度が増加する。
【００２３】
図２Ａおよび図２Ｂには、本発明の基本原理による静止形励磁制御システムの信号波形の一例が示されている。図２Ａにおいて縦軸２０２は、回転中の発電機の測定された軸速度と、と予期された軸速度との差を表す。横軸２０４は時間を表し、信号１６３が周期”ｔ”２０６を有することを示している。信号１６３（図１Ｂ参照）を、バンドパスフィルタ１６４によりフィルタリングされた信号とすることができる。信号１６３は、正の振幅値の部分２１２を有しており、この部分は、発電機軸が軸駆動方向と同じ回転方向で振動していることを表している。これに対し領域２１４において信号１６３によって表されているのは、軸が軸駆動方向とは逆の回転方向で振動していることである。領域２１２と２１４は、ゼロクロス点２１６でつながっている。これらの振動の周波数と振幅は、「振幅」２１０と「周期ｔ」２０６というパラメータによって取得される。
【００２４】
位相補償および利得回路１６６は、信号１６３を受信して、図２Ｂに示されているような適切な出力信号１６５を発生させることができる。上述のように、信号１６３が領域２１２にあるときには、静止形励磁システム１５４によって取り出される電力を増加させることにより、発電機の軸にドラッグをかけることができる。この増加は、制御信号１６５の第１部分２２２によって表されている。軸が予期された速度よりもゆっくり回転している場合（たとえば部分２１４）、静止形励磁システムの電圧によって取り出される電力を低減して、軸の回転速度を効果的に増加させることができる。
【００２５】
制御信号１６５の振幅２３０を、実験を通して経験的に導出してもよいし、および／または、実装されている任意の特定の静止形励回路について、制御信号１６５のレベルと、発電機の軸回転速度に結果として及ぼされる作用との間における相関関係を求めるためのテストを通して、導出してもよい。したがって、回転中の軸に望ましい作用を及ぼす制御信号１６５を発生させることができるよう、増幅器の利得を設定することができる。制御信号１６５のタイミングは、図２Ａに示されているゼロクロス点２１６から算出可能な振動周波数をベースとする。たとえば１０Ｈｚの回転振動であれば、図２Ａの信号１６３の場合、０．１秒の周期となる。この周期のうち一方の半周期（すなわち０．０５秒）の間、軸は予期された速度よりも速く回転し、つまりこのとき制御信号１６５は正の振幅を有する。この周期のうち他方の半周期の間、軸は予期された速度よりも遅く回転し、制御信号１６５は負の振幅を有する。位相補償回路１６６によって、制御信号１６５の位相に基づき、発生中の回転振動を打ち消すような静止形励磁システム１５４の電圧が確実に発生するようになる。
【００２６】
当業者であれば自明であるように、本発明の範囲を逸脱することなく、フィードバックおよび制御システムを様々な方式で設計することができる。たとえば、制御信号の極性を既述の極性とは逆にしてもよく、その場合には、やはり望ましい方向（すなわちねじれ振動とは反対方向）で軸の回転を生じさせるように、回路を設計する。
【００２７】
このようにして、既存の電力設備にすでに設けられている静止形励磁システムのコンポーネントの利点を生かす手法によって、ねじれ振動の安定化を達成することができる。付加的なコンポーネントがあるとすれば、検知および処理を行う低電力の機器である。そして電力施設のオペレータは、産業用負荷の顧客に頼ってその顧客のプロセスまたは施設を変更してもらうことなく、発電所内で内部的にねじれ振動の制御を実施することができる。
【００２８】
図３には、本発明の基本原理による静止形励磁システムを制御するための方法の一例を示すフローチャートが示されている。ステップ３０２において、発電機の軸の瞬時回転速度が検出される。上述のように、どのくらいの速さで軸が回転しているのかを求めるために、様々な方法やセンサを利用することができる。軸の速度がサンプリングされるレートは、発生しそうなねじれ振動の周波数範囲に依存する。たとえばこの範囲として、約５〜２０Ｈｚの範囲のねじれ振動を挙げることができる。この周波数範囲内のねじれ振動の場合には、ミリ秒ごとに速度を読み出せばよい。
【００２９】
ステップ３０４において、軸速度が検波されてねじれ振動信号が形成され、この信号において、振幅とねじれ振動周波数を検出することができる。この場合、発電機の軸は、予め求められた速度で第１の回転方向に駆動されている。したがって、測定された軸速度と予め求められた速度との差によって、軸がどの程度ねじれ振動しているのかが表される。振動の第１部分において、軸の駆動方向と同じ方向に軸がねじれ、振動の第２部分において、駆動されている状態とは反対の方向に軸がねじれる。測定された軸速度と予め求められた軸速度との差の大きさによって、ねじれ振動の振幅が表される。振動の方向がどれくらい速く変化するするのかによって、ねじれ振動の周波数が表される。このためステップ３０４において、これら２つの値（すなわち振幅と周波数）を求めることができる。少なくとも１つの実施形態によれば、ねじれ振動の振幅と周波数を明示的に計算しなくてもよい。その場合であれば制御信号を、理想的な軸回転速度からの瞬時速度の偏差に基づくようにすればよい。この実施例では、瞬時速度の偏差の値（すなわち図１Ｂの信号１６１）がサンプリングされ、ついでその信号をバンドパスフィルタ処理（または位相シフトしてフィルタリング）することができる。その後、フィルタリングされた信号サンプルを適切な大きさで増幅して、制御信号（すなわち図１Ｂの信号１６５）を発生させることができ、この信号が電圧調整器（すなわち図１Ｂの１５６）にフィードバックされる。換言すれば、ねじれ速度の明示的な増幅が計算されるわけではなく、フィルタリングされた信号値がどのような値になろうとも、予め定められた利得で増幅される。このようにして、検出された瞬時速度の偏差に基づいて、制御信号が固有の特性によって、適正な極性、適正な振幅および適正な周波数で適用される。
【００３０】
ステップ３０６において、ねじれ振動の振幅に基づき制御信号の振幅が決定される。たとえば制御信号を、瞬時速度の偏差に基づくものとしてもよいし、または、１つのねじれ振動の１つの半周期中に測定された最大振幅に基づくものとしてもよい。上述のように増幅器（または同様の回路）は、発電機の軸を適正な方向および望ましい速度で回転させるようにする制御信号を発生させる利得を有するように、構成されている。ステップ３０８において、ねじれ振動の周波数を用いて、適切な長さの期間にわたり制御信号を適用する。すでに述べたように、ねじれ振動の１周期が０．１秒であれば、一方の極性でその周期の一方の半周期にわたって、ついで逆の極性でその周期の他方の半周期にわたって、制御信号を適用することができる。ねじれ振動に起因して、軸が駆動される速度よりも速く軸が回転させられているならば、制御信号によって、静止形励磁システムが発電機から取り出す電力を増加させる。これによって実際には、軸が駆動されている状態とは逆方向で軸が回転させられるようになる（すなわち軸が減速する）。ねじれ振動に起因して、軸が駆動される速度よりも遅く軸が回転させられているならば、制御信号によって、静止形励磁システムが発電機から取り出す電力を減少させる。これによって実際には、軸が駆動されている状態と同じ方向で軸が回転させられるようになる（すなわち軸が加速する）。
【００３１】
これまで本発明の特別な実施形態について例示して説明してきたけれども、当業者に自明のとおり、本発明の着想および範囲を逸脱することなく、それらとは異なる様々な変更や変形を行うことができる。したがって添付の特許請求の範囲おいては、本発明の範囲内にあるそのような変更や変形すべてをカバーすることを意図している。
【図１Ａ】
2016525862.tif 000003
【図１Ｂ】
2016525862.tif 000004
【図１Ｃ】
2016525862.tif 000005
【図２Ａ】
2016525862.tif 000006
【図２Ｂ】
2016525862.tif 000007
【図３】
2016525862.tif 000008
【国際調査報告】
2016525862.tif 000009
2016525862.tif 000010
2016525862.tif 000011